(57)【要約】【課題】第三者による鍵装置の登録情報の不正登録を抑制することができる電気錠制御システム、電気錠システム、登録方法、及びプログラムを提供する。【解決手段】電気錠制御システム１は、錠側通信部１２と、第１記憶部１３と、第２記憶部１４と、登録部１１３と、を備えている。登録部１１３は、錠側通信部１２が登録要求信号を受信した場合、第２記憶部１４に記憶されている許可コードがデフォルトであれば、所定条件が満たされると、登録情報を第１記憶部１３に記憶させ、かつ、第２記憶部１４に記憶されている許可コードをデフォルトから設定コードに変更する。登録部１１３は、錠側通信部１２が登録要求信号を受信した場合、第２記憶部１４に記憶されている許可コードが設定コードであれば、登録要求信号に含まれる許可コードが設定コードと一致すると、登録情報を第１記憶部１３に記憶させる。【選択図】図１
2019027089.tif 000002
【特許請求の範囲】
【請求項１】
複数の鍵装置との間で無線通信可能な錠側通信部と、
前記複数の鍵装置の各々の登録情報を記憶可能な第１記憶部と、
許可コードを記憶可能な第２記憶部と、
前記複数の鍵装置の各々の登録情報を前記第１記憶部に記憶させる登録部と、を備え、
前記登録部は、前記錠側通信部が前記複数の鍵装置のいずれかから登録情報及び許可コードを含む登録要求信号を受信した場合、
前記第２記憶部に記憶されている許可コードがデフォルトであれば、所定条件が満たされると、前記登録要求信号に含まれる登録情報を前記第１記憶部に記憶させ、かつ、前記登録要求信号に含まれる許可コードを設定コードとして、前記第２記憶部に記憶されている許可コードを前記デフォルトから前記設定コードに変更し、
前記第２記憶部に記憶されている許可コードが前記設定コードであれば、前記登録要求信号に含まれる許可コードが前記設定コードと一致すると、前記登録要求信号に含まれる登録情報を前記第１記憶部に記憶させる
ことを特徴とする電気錠制御システム。
【請求項２】
ユーザからの操作を受け付ける錠側操作部と、
前記錠側操作部が受け付けた操作が登録許可操作であるという前記所定条件が満たされたか否かを判断する判断部と、を更に備え、
前記登録部は、前記錠側通信部が前記登録要求信号を受信した場合、前記第２記憶部に記憶されている許可コードが前記デフォルトであり、かつ、前記所定条件が満たされたと前記判断部が判断すると、前記登録要求信号に含まれる登録情報を前記第１記憶部に記憶させ、かつ、前記第２記憶部に記憶されている許可コードを前記デフォルトから前記設定コードに変更する
ことを特徴とする請求項１に記載に電気錠制御システム。
【請求項３】
前記登録許可操作は、前記錠側操作部に対する複数の操作を組み合わせた操作である
ことを特徴とする請求項２に記載の電気錠制御システム。
【請求項４】
前記登録許可操作は、前記錠側操作部に対して所定の操作手順で行われる操作であり、
前記所定の操作手順は、複数の手順候補から選択される
ことを特徴とする請求項２又は３に記載の電気錠制御システム。
【請求項５】
前記所定の操作手順は、前記登録要求信号に含まれる許可コードに応じて前記複数の手順候補から選択される
ことを特徴とする請求項４に記載の電気錠制御システム。
【請求項６】
前記登録許可操作の操作内容は、前記登録要求信号を送信した鍵装置の表示部に表示される
ことを特徴とする請求項２〜５のいずれか１項に記載の電気錠制御システム。
【請求項７】
前記登録部は、前記錠側通信部が、前記複数の鍵装置のうち前記第１記憶部に登録情報が記憶された鍵装置から削除要求信号を受信した場合、前記第１記憶部に記憶されている登録情報を削除する
ことを特徴とする請求項１〜６のいずれか１項に記載の電気錠制御システム。
【請求項８】
前記登録部は、前記錠側通信部が、前記複数の鍵装置のうち前記第１記憶部に登録情報が記憶された鍵装置から許可コードを含む変更要求信号を受信した場合、前記第２記憶部に記憶されている許可コードを、前記変更要求信号に含まれる許可コードに更新する
ことを特徴とする請求項１〜７のいずれか１項に記載の電気錠制御システム。
【請求項９】
請求項１〜８のいずれか１項に記載の電気錠制御システムと、
前記電気錠制御システムによって制御され、建物の開口部を開閉する開閉部材を施錠及び解錠する電気錠と、を備える
ことを特徴とする電気錠システム。
【請求項１０】
複数の鍵装置の各々の登録情報を第１記憶部に記憶させる登録方法であって、
錠側通信部が前記複数の鍵装置のいずれかから登録情報及び許可コードを含む登録要求信号を受信した場合、
第２記憶部に記憶されている許可コードがデフォルトであれば、所定条件が満たされると、前記登録要求信号に含まれる登録情報を前記第１記憶部に記憶させ、かつ、前記登録要求信号に含まれる許可コードを設定コードとして、前記第２記憶部に記憶されている許可コードを前記デフォルトから前記設定コードに変更し、
前記第２記憶部に記憶されている許可コードが前記設定コードであれば、前記登録要求信号に含まれる許可コードが前記設定コードと一致すると、前記登録要求信号に含まれる登録情報を前記第１記憶部に記憶させる
ことを特徴とする登録方法。
【請求項１１】
コンピュータシステムに、請求項１０に記載の登録方法を実行させるプログラム。
【発明の詳細な説明】
【技術分野】
【０００１】
本開示は、一般に電気錠制御システム、電気錠システム、登録方法、及びプログラムに関し、より詳細には、建物に設けられた開閉部材を施錠及び解錠する電気錠を制御する電気錠制御システム、電気錠システム、登録方法、及びプログラムに関する。
【背景技術】
【０００２】
従来、携帯機（鍵装置）との間の無線通信に基づいてドアの施解錠を制御するドア錠制御装置（電気錠制御システム）が開示されている（例えば、特許文献１参照）。特許文献１のドア錠制御装置は、携帯機から送信された固有情報と、予め登録されている固有情報とを比較し、それらの固有情報が一致したときにドアを解錠する。また、ドア錠制御装置は、無線通信を通じて取得した携帯機の固有情報を、記憶手段に記憶することができる。
【先行技術文献】
【特許文献】
【０００３】
【特許文献１】特開２００９−２６４０１７号公報
【発明の概要】
【発明が解決しようとする課題】
【０００４】
電気錠制御システムにおいて、第三者が所持する鍵装置の登録情報が不正に登録された場合、電気錠が不正に解錠されるおそれがある。
【０００５】
本開示は、上記事由に鑑みてなされており、その目的は、第三者による鍵装置の登録情報の不正登録を抑制することができる電気錠制御システム、電気錠システム、登録方法、及びプログラムを提供することにある。
【課題を解決するための手段】
【０００６】
本開示の一態様に係る電気錠制御システムは、錠側通信部と、第１記憶部と、第２記憶部と、登録部と、を備える。前記錠側通信部は、複数の鍵装置との間で無線通信可能である。前記第１記憶部は、複数の鍵装置の各々の登録情報を記憶可能である。前記第２記憶部は、許可コードを記憶可能である。前記登録部は、複数の鍵装置の各々の登録情報を第１記憶部に記憶させる。前記登録部は、前記錠側通信部が前記複数の鍵装置のいずれかから登録情報及び許可コードを含む登録要求信号を受信した場合、前記第２記憶部に記憶されている許可コードがデフォルトであれば、所定条件が満たされると、前記登録要求信号に含まれる登録情報を前記第１記憶部に記憶させ、かつ、前記登録要求信号に含まれる許可コードを設定コードとして、前記第２記憶部に記憶されている許可コードを前記デフォルトから前記設定コードに変更する。前記登録部は、前記錠側通信部が前記複数の鍵装置のいずれかから登録情報及び許可コードを含む登録要求信号を受信した場合、前記第２記憶部に記憶されている許可コードが前記設定コードであれば、前記登録要求信号に含まれる許可コードが前記設定コードと一致すると、前記登録要求信号に含まれる登録情報を前記第１記憶部に記憶させる。
【０００７】
本開示の一態様に係る電気錠システムは、前記電気錠制御システムと、前記電気錠制御システムによって制御され、建物の開口部を開閉する開閉部材を施錠及び解錠する電気錠と、を備える。
【０００８】
本開示の一態様に係る登録方法は、複数の鍵装置の各々の登録情報を第１記憶部に記憶させる登録方法である。前記登録方法は、錠側通信部が前記複数の鍵装置のいずれかから登録情報及び許可コードを含む登録要求信号を受信した場合、第２記憶部に記憶されている許可コードがデフォルトであれば、所定条件が満たされると、前記登録要求信号に含まれる登録情報を前記第１記憶部に記憶させ、かつ、前記登録要求信号に含まれる許可コードを設定コードとして、前記第２記憶部に記憶されている許可コードを前記デフォルトから前記設定コードに変更する。前記登録方法は、錠側通信部が前記複数の鍵装置のいずれかから登録情報及び許可コードを含む登録要求信号を受信した場合、前記第２記憶部に記憶されている許可コードが前記設定コードであれば、前記登録要求信号に含まれる許可コードが前記設定コードと一致すると、前記登録要求信号に含まれる登録情報を前記第１記憶部に記憶させる。
【０００９】
本開示の一態様に係るプログラムは、コンピュータシステムに、前記登録方法を実行させる。
【発明の効果】
【００１０】
本開示の電気錠制御システム、電気錠システム、登録方法、及びプログラムでは、第三者による鍵装置の登録情報の不正登録を抑制することができるという効果がある。
【図面の簡単な説明】
【００１１】
【図１】図１は、本開示の一実施形態に係る電気錠制御システムのブロック図である。
【図２】図２は、同上の電気錠制御システムの使用例の説明図である。
【図３】図３は、同上の電気錠制御システムにおける登録動作を説明するフローチャートである。
【発明を実施するための形態】
【００１２】
以下、本開示の一実施形態について説明する。下記の実施形態は、本開示の様々な実施形態の一つに過ぎない。また、下記の実施形態は、本開示の目的を達成できれば、設計等に応じて種々の変更が可能である。
【００１３】
（１）電気錠制御システムの概要
本実施形態に係る電気錠制御システム１の概要について、図１、図２を参照して説明する。
【００１４】
本実施形態に係る電気錠制御システム１は、電気錠３を制御する。電気錠３は、開閉部材５（図２参照）を施錠及び解錠する。開閉部材５は、建物４の開口部４０を開閉する。開閉部材５は、建物４の内側（宅内４１）と外側（宅外４２）とを隔てる扉又は窓であって、例えば、玄関、勝手口等の扉（開き戸又は引き戸）、又は掃き出し窓等である。本実施形態では、建物４が戸建て住宅であり、開閉部材５が玄関扉である。電気錠制御システム１は、電気錠制御装置１０を備えている。電気錠制御装置１０及び電気錠３は、開閉部材５に設置されている。本実施形態の電気錠システム１００は、電気錠制御システム１と電気錠３とを備えている。
【００１５】
電気錠制御装置１０は、鍵装置２と通信可能に構成されている。電気錠制御装置１０は、鍵装置２との通信によって、電気錠３の状態を、開閉部材５を施錠する施錠状態と、開閉部材５を解錠する解錠状態とに電気的に切り替えるように構成されている。つまり、鍵装置２は、電気錠３を施錠及び解錠させるための鍵装置としての機能を有している。
【００１６】
鍵装置２は、電気錠制御装置１０との通信機能を有している。本実施形態では、電気錠制御装置１０と鍵装置２との間の通信方式は、電波を媒体とする無線通信である。
【００１７】
電気錠制御システム１の基本的な機能としては、鍵装置２に予め記憶されている鍵ＩＤ（Identification）である鍵情報を、鍵装置２が電気錠制御装置１０に送信することによって、電気錠制御装置１０が電気錠３を解錠状態に制御する。すなわち、電気錠制御装置１０と鍵装置２とが通信し、鍵装置２から受信した鍵情報の認証が成功した場合に、電気錠３が解錠状態となる。
【００１８】
上述したような電気錠制御装置１０による解錠動作は、鍵装置２を所持するユーザ６（住人）が宅外４２に居るとき、つまりユーザ６の帰宅時と、ユーザ６が宅内４１に居るとき、つまりユーザ６の外出時との少なくとも一方において行われる。本実施形態では、ユーザ６の帰宅時と外出時との両方において、電気錠制御装置１０による解錠動作が行われる。すなわち、ユーザ６の帰宅時には、宅外４２に居るユーザ６が、例えば電気錠制御装置１０と鍵装置２との間の通信用の電波が届く程度に開閉部材５に近づいた状態で、ユーザ６の所持する鍵装置２が電気錠制御装置１０と通信することで、開閉部材５が解錠可能となる。同様に、ユーザ６の外出時には、宅内４１に居るユーザ６が、例えば電気錠制御装置１０と鍵装置２との間の通信用の電波が届く程度に開閉部材５に近づいた状態で、ユーザ６の所持する鍵装置２が電気錠制御装置１０と通信することで、開閉部材５が解錠可能となる。また、本実施形態では詳しい説明は省略するが、電気錠制御装置１０は、開閉部材５が解錠されている状態において、鍵装置２との通信によって鍵情報の認証が成功すると、開閉部材５の施錠を行う。つまり、電気錠制御装置１０は、解錠動作だけでなく、鍵装置２との通信によって、解錠状態から施錠状態へ切り替える施錠動作も行うことができる。
【００１９】
また、本実施形態の電気錠制御システム１は、複数の鍵装置２に対応する複数の登録情報が登録可能に構成されている。電気錠制御システム１に、鍵装置２の登録情報を登録するためのパスコードとして許可コードが必要となる。電気錠制御システム１の登録部１１３は、鍵装置２から送信された許可コードの認証に成功した場合、鍵装置２の登録情報を登録するように構成されている。
【００２０】
（２）詳細
次に、本実施形態に係る電気錠制御システム１の詳細について説明する。
【００２１】
（２．１）電気錠制御装置の構成
電気錠制御装置１０は、錠側制御部１１と、錠側通信部１２と、第１記憶部１３と、第２記憶部１４と、錠側操作部１５と、を備えている。錠側制御部１１は、認証部１１１と、錠制御部１１２と、登録部１１３と、判断部１１４と、を有している。
【００２２】
電気錠制御装置１０は、建物４の開閉部材５に設けられている。電気錠制御装置１０は、系統電源（商用電源）等の外部電源から電力供給を受けて動作してもよいし、電池駆動式であってもよい。
【００２３】
錠側制御部１１は、例えば、プロセッサ及びメモリを有するマイクロコンピュータで構成されている。つまり、錠側制御部１１は、プロセッサ及びメモリを有するコンピュータシステムで実現されている。そして、プロセッサが適宜のプログラムを実行することにより、コンピュータシステムが錠側制御部１１として機能する。プログラムは、メモリに予め記録されていてもよいし、インターネット等の電気通信回線を通じて、又はメモリカード等の非一時的な記録媒体に記録されて提供されてもよい。また、錠側制御部１１は、錠側通信部１２、第１記憶部１３、第２記憶部１４、及び電気錠３を制御する。
【００２４】
錠側通信部１２は、鍵装置２の鍵側通信部２２と通信可能に構成されている。錠側通信部１２と鍵装置２の鍵側通信部２２との間の通信方式は、例えばＢＬＥ（Bluetooth Low Energy）に準拠した無線通信である。ＢＬＥとは、無線ＰＡＮ（Personal Area Network）技術であるＢｌｕｅｔｏｏｔｈ（登録商標）の仕様における、低消費電力仕様の呼称である。本実施形態では、電気錠制御装置１０は、鍵装置２にビーコン信号等の無線信号を所定周期で送信するだけでなく、例えば、鍵情報を含む無線信号を鍵装置２から受信する。つまり、錠側通信部１２は、無線信号の送信機能及び受信機能を有しており、鍵装置２との間で双方向の通信を行う。
【００２５】
第１記憶部１３は、例えば、ＥＥＰＲＯＭ（Electrically Erasable Programmable Read-Only Memory）、フラッシュメモリなどの不揮発性メモリにて構成されている。第１記憶部１３には、登録ＩＤとして鍵装置２の登録情報が記憶可能である。登録情報は、鍵装置２の鍵情報を含んでおり、登録部１１３によって第１記憶部１３に登録（記憶）される。また、第１記憶部１３には、複数の登録情報を記憶させることができる。例えば、建物４の住人がそれぞれ個別の鍵装置２を所持するような場合、第１記憶部１３には、複数の鍵装置２それぞれの登録情報を記憶させることができる。
【００２６】
第２記憶部１４は、例えば、ＥＥＰＲＯＭ、フラッシュメモリなどの不揮発性メモリにて構成されている。第２記憶部１４には、許可コードが記憶可能である。許可コードは、登録情報を第１記憶部１３に登録する際に用いられるパスコードであり、例えば４〜８桁程度の数字の羅列である。なお、許可コードは、数字、英字、記号等の組み合わせであってもよい。
【００２７】
また、電気錠制御装置１０の工場出荷時において、第２記憶部１４に記憶されている許可コードは、デフォルトのコードである。例えば、許可コードが４桁の数字である場合、デフォルトは予め設定された“００００”等である。なお、デフォルトは、値が設定されていない空値（NULL値）であってもよい。第２記憶部１４に記憶されている許可コードは、デフォルトから、ユーザ６が設定したコード（設定コード）に変更可能である。許可コードの変更は、登録部１１３によって行われる。
【００２８】
なお、第１記憶部１３及び第２記憶部１４は、１つのメモリで構成されていてもよいし、錠側制御部１１が有するメモリであってもよい。つまり、第１記憶部１３及び第２記憶部１４は、それぞれ１つのメモリにおける記憶領域であってもよい。
【００２９】
錠側操作部１５は、ユーザ６による操作を受け付ける機能を有する。錠側操作部１５は、例えば、押ボタンスイッチ１５１、サムターン１５２、ドアハンドル１５３等を有している。押ボタンスイッチ１５１は、開閉部材５の宅内４１側及び宅外４２側のそれぞれに設けられている。錠側操作部１５は、ユーザ６による操作を受け付けると、操作内容に応じた操作信号を錠側制御部１１に出力する。例えば、押ボタンスイッチ１５１への操作内容としては、押ボタンスイッチ１５１の長押し操作、短押し操作等がある。サムターン１５２への操作内容としては、サムターン１５２のロック操作、アンロック操作等がある。ドアハンドル１５３への操作内容としては、ドアハンドル１５３の押し操作、引き操作、及びドアの開操作、閉操作等がある。
【００３０】
認証部１１１は、錠側通信部１２が鍵装置２から鍵情報を含む無線信号を受信すると、この鍵情報と、第１記憶部１３に記憶されている登録情報との照合を行う。これにより、認証部１１１は、鍵情報を送信してきた鍵装置２が、電気錠３の操作を許可された正規の鍵装置２であるか否かを認証する。つまり、認証部１１１は、鍵情報を送信してきた鍵装置２が、第１記憶部１３に登録情報が記憶されている鍵装置２であるか否かを認証する。
【００３１】
錠制御部１１２は、認証部１１１が鍵情報の認証に成功すると、電気錠３を制御して開閉部材５の施錠又は解錠を行う。具体的には、認証部１１１が鍵情報の認証に成功し、錠側通信部１２が鍵装置２からの施解錠要求信号を受信すると、電気錠３の施錠状態と解錠状態とが切り替わるように電気錠３を制御する。
【００３２】
判断部１１４は、所定条件が満たされたか否かを判断する。所定条件とは、錠側操作部１５が受け付けた操作が、予め設定された登録許可操作であるという条件である。つまり、判断部１１４は、錠側操作部１５が受け付けた操作が、予め設定された登録許可操作であるか否かを判断する。登録許可操作とは、第２記憶部１４に記憶されている許可コードをデフォルトから設定コードに変更する際に用いられるパス操作であり、ユーザ６が錠側操作部１５に対して行う物理的な操作である。本実施形態では、登録許可操作は、錠側操作部１５（押ボタンスイッチ１５１、サムターン１５２、ドアハンドル１５３）に対する複数の操作を組み合わせた操作で構成されている。例えば、登録許可操作は、サムターン１５２のロック操作とアンロック操作とを連続して行う操作、押ボタンスイッチ１５１の長押し操作とサムターン１５２のロック操作とアンロック操作とを所定の順序に組み合わせた操作等である。なお、登録許可操作は、錠側操作部１５に対する１つの操作であってもよい。例えば、登録許可操作は、サムターン１５２のロック操作のみ、あるいはアンロック操作のみであってもよい。なお、登録許可操作は、宅内４１側から錠側操作部１５に対して行われる操作であることが好ましい。これにより、第三者が屋外４２側から不正に登録許可操作を行うことが抑制され、セキュリティ性が向上する。
【００３３】
登録部１１３は、鍵装置２の登録情報を第１記憶部１３に登録（記憶）する第１登録処理と、設定コードを第２記憶部１４に登録（記憶）する第２登録処理と、を行う。登録部１１３は、錠側通信部１２が鍵装置２から登録情報、及び許可コードを含む登録要求信号を受信すると、この登録要求信号に含まれる許可コードと、第２記憶部１４に記憶されている許可コードとの照合を行う。ここで、登録部１１３は、第２記憶部１４に記憶されている許可コードがデフォルトであるか否かを確認する。登録部１１３は、第２記憶部１４に記憶されている許可コードがデフォルトである場合、第１登録処理と第２登録処理との両方を行う。また、登録部１１３は、第２記憶部１４に記憶されている許可コードがデフォルトではない、つまり設定コードである場合、第１登録処理を行う。
【００３４】
具体的には、第２記憶部１４に記憶されている許可コードがデフォルトである場合、判断部１１４は、錠側通信部１２が登録要求信号を受信してから所定時間内に錠側操作部１５が受け付けた操作が登録許可操作であるか否かを判断する。登録部１１３は、判断部１１４が、錠側操作部１５が受け付けた操作が登録許可操作であると判断した場合のみ、登録要求信号に含まれる登録情報を第１記憶部１３に記憶する第１登録処理を行う。さらに、登録部１１３は、第２記憶部１４に記憶されている許可コード（デフォルト）を、登録要求信号に含まれる許可コード（設定コード）に更新する第２登録処理を行う。
【００３５】
また、第２記憶部１４に記憶されている許可コードが設定コードである場合、登録部１１３は、登録要求信号に含まれる許可コードと、第２記憶部１４に記憶されている許可コード（設定コード）との照合を行う。登録部１１３は、登録要求信号に含まれる許可コードの認証に成功すると、登録要求信号に含まれる登録情報を第１記憶部１３に記憶する第１登録処理を行う。登録部１１３による第１登録処理及び第２登録処理の詳細な動作については、後述の（３）動作例の欄で説明する。
【００３６】
（２．２）鍵装置の構成
次に、鍵装置２の構成について説明する。
【００３７】
鍵装置２は、鍵側制御部２１と、鍵側通信部２２と、鍵側操作部２３と、表示部２４と、を備えている。鍵装置２は、例えばスマートフォンのような携帯端末であり、専用のアプリケーションソフトを鍵装置２にインストールし、このアプリケーションソフトを起動することにより、鍵装置２を電気錠制御装置１０の鍵（電子キー）として機能させる。言い換えると、アプリケーションソフトは、コンピュータを鍵装置２における鍵側制御部２１として機能させるためのプログラムである。
【００３８】
鍵側通信部２２は、電気錠制御装置１０の錠側通信部１２と通信可能に構成されている。上述したように、鍵側通信部２２と電気錠制御装置１０（錠側通信部１２）とは双方向に通信を行うので、鍵側通信部２２は、信号の送信機能及び受信機能を有している。鍵側通信部２２は、鍵装置２の電源が入っている状態では無線信号を受信可能である。したがって、鍵装置２を所持したユーザ６が開閉部材５付近の受信可能領域に入ることで、電気錠制御装置１０から送信される無線信号（ビーコン信号）を受信することができる。ここで、受信可能領域とは、鍵装置２が電気錠制御装置１０からの無線信号を受信可能となる領域である。
【００３９】
鍵側操作部２３は、ユーザ６による操作を受け付ける機能を有する。表示部２４は、起動させたアプリケーションソフトについての表示を行う機能を有する。鍵側操作部２３及び表示部２４は、例えば鍵装置２に備わっているタッチパネルディスプレイである。タッチパネルディスプレイは、例えばＬＣＤ（Liquid Crystal Display）のような表示装置と、抵抗膜方式のタッチパッドとを組み合わせて構成されている。表示装置は、ＬＣＤに限らず、例えば有機ＥＬ（Electro Luminescence）ディスプレイであってもよい。タッチパッドは、抵抗膜方式に限らず、例えば静電容量方式であってもよい。
【００４０】
鍵側制御部２１は、例えば、プロセッサ及びメモリを有するマイクロコンピュータで構成されている。つまり、鍵側制御部２１は、プロセッサ及びメモリを有するコンピュータシステムで実現されている。そして、プロセッサが適宜のプログラムを実行することにより、コンピュータシステムが鍵側制御部２１として機能する。プログラムは、メモリに予め記録されていてもよいし、インターネット等の電気通信回線を通じて、又はメモリカード等の非一時的な記録媒体に記録されて提供されてもよい。また、マイクロコンピュータのメモリには、鍵装置２に固有の情報（鍵情報、登録情報）が記憶されている。
【００４１】
鍵側制御部２１は、鍵側通信部２２及び表示部２４を制御する。鍵側制御部２１は、電気錠制御装置１０（錠側通信部１２）との間で鍵側通信部２２に通信を行わせることによって、電気錠制御装置１０での開閉部材５の解錠及び施錠を可能にする。具体的には、鍵側制御部２１は、鍵側通信部２２にて錠側通信部１２からの無線信号（ビーコン信号）を受信すると、鍵側通信部２２から錠側通信部１２に対して錠側通信部１２と鍵側通信部２２との通信を開始させるための無線信号（接続要求信号）を送信させる。鍵側制御部２１は、錠側通信部１２と鍵側通信部２２との通信が開始されると、鍵側通信部２２から錠側通信部１２に対して、鍵情報を含む無線信号（ＩＤ信号）を送信させる。また、鍵側制御部２１は、少なくとも起動させたアプリケーションソフトについての表示を表示部２４に行わせる。
【００４２】
また、鍵側制御部２１は、電気錠制御装置１０（錠側通信部１２）との間で鍵側通信部２２に通信を行わせることによって、電気錠制御装置１０に登録情報の登録を可能にする。具体的には、鍵側制御部２１は、ユーザ６による鍵側操作部２３への操作内容に応じて、鍵側通信部２２から錠側通信部１２に対して、登録情報を登録するための無線信号（登録要求信号）を送信させる。登録要求信号には、鍵装置２の登録情報と、ユーザ６により錠側操作部１５に入力された許可コードとが含まれている。
【００４３】
ここで、鍵装置２は、登録情報を電気錠制御装置１０に登録する動作モードとして、初期登録モードと、追加登録モードとを有していてもよい。
【００４４】
初期登録モードとは、登録情報の登録と、許可コード（設定コード）の設定とを行うための動作モードである。初期登録モードでは、鍵装置２は、ユーザ６に対して、別の鍵装置２の登録情報を登録するためのパスコードとして任意の許可コード（設定コード）の入力を求める。そして、鍵装置２は、入力された許可コード（設定コード）と、登録情報とを含む登録要求信号を電気錠制御装置１０へ送信する。つまり、初期登録モードとは、電気錠制御装置１０の第１記憶部１３に、１台目の鍵装置２の登録情報を登録する際に設定される動作モードである。
【００４５】
また、鍵装置２の錠側制御部１１は、初期登録モードでの登録要求信号を送信後に、許可コードをデフォルトから設定コードに更新するためのパス操作である登録許可操作の実行を促すメッセージを、表示部２４に表示させる。これにより、ユーザ６が登録許可操作の実行を忘れることが抑制される。また、鍵装置２の鍵側制御部２１は、登録許可操作の実行を促すメッセージと共に、登録許可操作の操作内容を文字、イラスト等で表示部２４に表示させてもよい。
【００４６】
追加登録モードとは、第１記憶部１３に登録情報の登録のみを行う動作モードである。追加登録モードでは、鍵装置２は、別の鍵装置２によって設定された許可コード（設定コード）の入力を求める。そして、鍵装置２は、入力された許可コード（設定コード）と、登録情報とを含む登録要求信号を電気錠制御装置１０へ送信する。つまり、追加登録モードとは、電気錠制御装置１０の第１記憶部１３に、２台目以降の鍵装置２の登録情報を登録する際に設定される動作モードである。
【００４７】
（２．３）電気錠の構成
次に、電気錠３の構成について説明する。
【００４８】
電気錠３は、開閉部材５（ここでは、玄関扉）を解錠及び施錠する。電気錠３は、デッドボルトと、駆動部と、駆動回路と、を有している。駆動回路は、錠制御部１１２から出力される制御信号（解錠信号又は施錠信号）に応じて駆動信号を作成し、この駆動信号を駆動部に出力する。駆動部は、電動モータと、電動モータの駆動力をデッドボルトに伝達する伝達機構と、を備えている。駆動部は、駆動回路から入力される駆動信号に従って駆動モータを駆動する。駆動モータの駆動力が伝達機構を介してデッドボルトに伝達されることによって、デッドボルトが施錠位置又は解錠位置に移動する。ここで、デッドボルトが施錠位置に移動した状態では、デッドボルトの少なくとも一部が、開閉部材５を支持する扉枠に設けられたボルト穴に挿入されており、この状態では開閉部材５が閉じた状態で保持される。つまり、開閉部材５が施錠された状態となる。デッドボルトが解錠位置に移動した状態では、デッドボルトの全体がボルト穴の外に出ており、この状態では開閉部材５の開閉が可能になる。つまり、開閉部材５が解錠された状態となる。
【００４９】
（３）動作例
次に、電気錠制御システム１の動作例について図３を参照して説明する。ここでは、電気錠制御システム１における、鍵装置２の登録情報を第１記憶部１３に記憶させる登録方法について説明する。
【００５０】
電気錠制御装置１０の錠側制御部１１は、動作モードとして登録モードを有している。登録モードとは、鍵装置２からの登録要求信号に基づいて、登録部１１３が鍵装置２の登録情報を第１記憶部１３に登録するための動作モードである。登録モードへの移行は、例えば押ボタンスイッチ１５１の長押し操作等によって行われる。鍵装置２の登録情報を第１記憶部１３に登録する場合、まず錠側制御部１１の動作モードが登録モードに移行する（Ｓ１）。錠側制御部１１の動作モードが登録モードに移行すると、鍵装置２からの登録要求信号の受信待ち状態となる。
【００５１】
鍵装置２が錠側通信部１２の通信エリア内にあり、ユーザ６による鍵装置２への操作によって鍵装置２から登録要求信号が送信されると、錠側通信部１２は、登録要求信号を受信する（Ｓ２）。この登録要求信号には、ユーザ６が鍵装置２に入力した許可コードと、鍵装置２に固有の登録情報とが含まれている。
【００５２】
錠側通信部１２が鍵装置２からの登録要求信号を受信すると、登録部１１３は、第２記憶部１４に記憶されている許可コードがデフォルトであるか否かを確認する（Ｓ３）。言い換えれば、錠側制御部１１は、第２記憶部１４に記憶されている許可コードが設定コードであるか否かを確認する。
【００５３】
第２記憶部１４に記憶されている許可コードがデフォルトである場合（Ｓ３：Ｙｅｓ）、ユーザ６による錠側操作部１５への登録許可操作の待ち状態となる。鍵装置２が初期登録モードで登録要求信号を送信した後、表示部２４には、登録許可操作の実行を促すメッセージ、及び登録許可操作の操作内容が表示される。なお、表示部２４に表示される登録許可操作の操作内容は、特定許可操作のヒントであってもよい。これにより、登録許可操作の操作内容の全てを表示部２４に表示する場合に比べて、セキュリティ性が向上する。
【００５４】
ユーザ６が錠側操作部１５に対して登録許可操作を行うと、判断部１１４は、所定時間内に錠側操作部１５が受け付けた操作が登録許可操作であるか否かの判断処理を行う（Ｓ４）。
【００５５】
錠側操作部１５が受け付けた操作が登録許可操作であると判断部１１４が判断した場合（Ｓ４：Ｙｅｓ）、登録部１１３は、第２記憶部１４に記憶されている許可コードをデフォルトから、登録要求信号に含まれる許可コード（設定コード）に変更する（Ｓ５）。つまり、第２記憶部１４に記憶される許可コードが、ユーザ６が鍵装置２に入力した設定コードに変更される。また、登録部１１３は、登録要求信号に含まれる登録情報を第１記憶部１３に記憶させる（Ｓ６）。つまり、第１記憶部１３に、登録要求信号を送信した鍵装置２の登録情報が登録される。なお、登録部１１３による許可コードの変更処理（Ｓ５）と、登録情報の登録処理（Ｓ６）とは、順序が逆であってもよいし、並行して行われてもよい。
【００５６】
このように、第２記憶部１４に記憶されている許可コードがデフォルトであり、かつ錠側操作部１５に対して所定時間内に登録許可操作が行われた場合、第２記憶部１４に記憶される許可コードが設定コードに設定され、登録情報が第１記憶部１３に登録される。
【００５７】
また、ユーザ６の操作ミス、操作忘れ等により錠側操作部１５に対して所定時間内に登録許可操作が行われなかった場合（Ｓ４：Ｎｏ）、登録部１１３は、第２記憶部１４に記憶されている許可コードを設定コードへの変更処理を行わない（Ｓ７）。つまり、ユーザ６が鍵装置２に入力した設定コードは、第２記憶部１４に記憶される許可コードに設定されない。また、登録部１１３は、第１記憶部１３への登録情報の登録処理を行わない（Ｓ８）。つまり、登録要求信号を送信した鍵装置２の登録情報は、第１記憶部１３に登録されない。
【００５８】
また、第２記憶部１４に記憶されている許可コードが設定コードである（デフォルトでない）場合（Ｓ３：Ｎｏ）、登録部１１３は、錠側通信部１２が受信した登録要求信号に含まれる許可コードと、第２記憶部１４に記憶されている許可コード（設定コード）との照合を行う（Ｓ９）。登録要求信号に含まれる許可コードと、第２記憶部１４に記憶されている許可コード（設定コード）とが一致した場合（Ｓ９：Ｙｅｓ）、登録部１１３は、登録要求信号に含まれる登録情報を第１記憶部１３に記憶させる（Ｓ１０）。つまり、第１記憶部１３に、登録要求信号を送信した鍵装置２の登録情報が登録される。
【００５９】
また、登録要求信号に含まれる許可コードと、第２記憶部１４に記憶されている許可コード（設定コード）とが一致しない場合（Ｓ９：Ｎｏ）、登録部１１３は、登録要求信号に含まれる登録情報を第１記憶部１３に記憶しない（Ｓ８）。つまり、登録要求信号を送信した鍵装置２の登録情報は、第１記憶部１３に登録されない。
【００６０】
また、錠側制御部１１が登録モードに移行してから、所定の登録可能時間が経過するまでは、登録モードが継続される（Ｓ１１）。したがって、登録可能時間内であれば、登録要求信号の受信待ち状態となり、複数の鍵装置２の登録情報の登録が可能となる。また、登録可能時間内であれば、登録情報の登録に失敗した鍵装置２であっても、登録情報の登録を再試行することができる。これにより、１台の鍵装置２の登録情報の登録が完了する度に、錠側制御部１１を登録モードへ移行させる作業が不要となるので、複数の鍵装置２の登録情報の登録の作業効率が向上する。
【００６１】
（４）利点
次に、本実施形態に係る電気錠制御システム１の利点について説明する。
【００６２】
本実施形態の電気錠制御システム１では、第１記憶部１３に２台目以降の鍵装置２の登録情報を登録するためのパスコードとして許可コードが必要となる。ユーザ６が鍵装置２に入力した許可コードと、１台目の鍵装置２の登録時にユーザ６が指定した許可コード（設定コード）との照合に成功した場合に、鍵装置２の登録情報が第１記憶部１３に登録される。したがって、第三者が所持する鍵装置２の登録情報の不正登録が抑制され、セキュリティ性が向上する。また、本実施形態の電気錠制御システム１では、鍵装置２の登録情報を個別に追加登録できるので、鍵装置２の登録情報を追加登録する際に、既に登録済みの鍵装置２を準備する必要がなく、利便性が向上する。
【００６３】
また、第２記憶部１４に記憶されている許可コードは、第１記憶部１３に１台目の鍵装置２の登録情報を登録する際にデフォルトからユーザ６が指定した設定コードに変更される。第２記憶部１４に記憶されている許可コードをデフォルトから変更するためのパス操作として、ユーザ６が錠側操作部１５に対して登録許可操作を行う必要がある。つまり、１台目の鍵装置２を第１記憶部１３に登録するためには、ユーザ６が錠側操作部１５に対して物理的な操作（登録許可操作）を行う必要がある。したがって、第三者が錠側操作部１５から離れた位置から鍵装置２の登録情報、及び許可コードを不正に登録することが抑制され、セキュリティ性が向上する。
【００６４】
また、登録許可操作は、錠側操作部１５に対する複数の操作を組み合わせた操作で構成されている。これにより、第三者に登録許可操作が推測されにくくなり、セキュリティ性が向上する。
【００６５】
また、登録許可操作の操作内容は、登録要求信号を送信した鍵装置２の表示部２４に表示される。これにより、ユーザ６は、登録許可操作の操作内容を把握することができ、登録許可操作の操作ミス、操作忘れを抑制することができる。
【００６６】
（５）変形例
上述の実施形態は、本開示の様々な実施形態の一つに過ぎない。上述の実施形態は、本開示の目的を達成できれば、設計等に応じて種々の変更が可能である。また、電気錠制御システム１と同様の機能は、登録方法、コンピュータプログラム、又はコンピュータプログラムを記録した記録媒体等で具現化されてもよい。
【００６７】
次に、本実施形態に係る電気錠制御システム１の変形例について列挙する。以下に説明する変形例は、適宜組み合わせて適用可能である。
【００６８】
登録許可操作は、錠側操作部１５に対して予め決められた１つの手順で行う操作に限らない。登録許可操作は、複数の手順候補から選択された１つの操作手順で行う操作であってもよい。複数の手順候補は、互いに操作内容が異なっている。つまり、複数の手順候補は、錠側操作部１５に対して行われる操作の手順が互いに異なっている。
【００６９】
錠側制御部１１は、錠側通信部１２が登録要求信号を受信した場合、第２記憶部１４に記憶されている許可コードがデフォルトであれば、複数の手順候補から１つの操作手順をランダムで選択する。選択された操作手順の操作内容を含む通知信号が、錠側通信部１２から、登録要求信号を送信した鍵装置２に送信される。そして、鍵装置２の表示部２４には、選択された操作手順の操作内容が表示される。ユーザ６は、鍵装置２の表示部２４に表示された表示内容（操作手順）に基づいて、錠側操作部１５に対して登録許可操作を行う。判断部１１４は、錠側操作部１５に対して行われた操作が、複数の手順候補から選択された１つの操作手順で行う操作である登録許可操作であるか否かを判断する。これにより、特定許可操作がランダムで選択されるので、セキュリティ性が向上する。なお、複数の手順候補から１つの操作手順を選択する選択処理は、錠側制御部１１ではなく、鍵側制御部２１が行ってもよい。この場合、鍵側制御部２１が選択した操作手順の操作内容を含む登録要求信号が鍵装置２から電気錠制御装置１０に送信される。
【００７０】
また、複数の手順候補から１つの操作手順の選択は、ランダムに限らず、ユーザ６が指定した許可コード（設定コード）に応じて選択されてもよい。例えば、許可コード（設定コード）が英字、数字を含む文字の羅列で構成されている場合、頭文字が英字である場合、押ボタンスイッチ１５１を操作する操作手順が選択され、頭文字が数字である場合、サムターン１５２を操作する操作手順が選択される。また、例えば、許可コード（設定コード）が複数桁の数字の羅列で構成されている場合、許可コードの下１桁の数字の回数だけサムターン１５２の操作（ロック操作、アンロック操作）を行うという操作手順が選択される。これにより、ユーザ６が指定した許可コード（設定コード）に応じて登録許可操作が決まるので、セキュリティ性が向上する。
【００７１】
また、第２記憶部１４に記憶されている許可コードは、１台目の鍵装置２の登録時にユーザ６が指定した設定コードからさらに変更可能に構成されていてもよい。登録部１１３は、錠側通信部１２が、第１記憶部１３に登録情報が記憶された鍵装置２から変更要求信号を受信した場合、この変更要求信号に基づいて第２記憶部１４に記憶されている許可コードを更新（変更）する。変更要求信号には、ユーザ６が鍵装置２に入力した許可コード（変更コード）が含まれている。登録部１１３は、第２記憶部１４に記憶されている許可コードを、変更要求信号に含まれる許可コード（設定コード）に更新する。これにより、１台目の鍵装置２の登録以降に、許可コードを変更することができ、利便性が向上する。
【００７２】
なお、変更要求信号には、新たに設定する許可コードと、第２記憶部１４に記憶されている変更前の許可コードとが含まれていてもよい。登録部１１３は、変更要求信号に含まれている変更前の許可コードと、第２記憶部１４に記憶されている許可コードとの照合に成功した場合、第２記憶部１４に記憶されている許可コードを更新する。これにより、第三者によって許可コードが不正に変更されることが抑制され、セキュリティ性が向上する。
【００７３】
また、第１記憶部１３に記憶されている登録情報は、削除可能に構成されていてもよい。登録部１１３は、錠側通信部１２が、第１記憶部１３に登録情報が記憶された鍵装置２から削除要求信号を受信した場合、この削除要求信号に基づいて第１記憶部１３に記憶されている登録情報を削除する。削除要求信号には、第１記憶部１３に記憶されている登録情報のうち削除する登録情報を指定した指定情報が含まれている。登録部１１３は、削除要求信号に含まれている指定情報が指定した登録情報を第１記憶部１３から削除する。削除する登録情報は、ユーザ６が鍵装置２の鍵側操作部２３を操作することによって指定される。削除対象となる登録情報は、削除要求信号を送信する鍵装置２自身の登録情報だけでなく、他の鍵装置２の登録情報を含む。したがって、１台の鍵装置２が削除要求信号を送信することによって、第１記憶部１３に記憶されている登録情報の全てを削除することができる。また、例えば登録情報を登録済みの鍵装置２を紛失した場合、登録情報を登録済みの他の鍵装置２を用いて、紛失した鍵装置２の登録情報のみを第１記憶部１３から削除することができる。これにより、紛失した鍵装置２を取得した第三者が、電気錠３を不正に施解錠することが抑制され、セキュリティ性が向上する。
【００７４】
なお、削除要求信号には、許可コードが含まれていてもよい。登録部１１３は、削除要求信号に含まれる許可コードと、第２記憶部１４に記憶されている許可コードとの照合に成功した場合、第１記憶部１３に記憶されている登録情報を削除する。これにより、第三者によって登録情報が不正に削除されることが抑制され、セキュリティ性が向上する。
【００７５】
さらに、第１記憶部１３に記憶されている登録情報は、錠側操作部１５に対する所定の削除操作により削除可能に構成されていてもよい。登録部１１３は、ユーザ６により錠側操作部１５に対して所定の削除操作が行われたと判断した場合、第１記憶部１３に記憶されている登録情報を削除する。このとき、登録部１１３は、第１記憶部１３に記憶されている登録情報の全てを削除してもよい。削除操作は、例えば押ボタンスイッチ１５１、サムターン１５２、ドアハンドル１５３等の各操作を所定の順序で組み合わせた操作であり、通常時には行われない操作であることが好ましい。これにより、例えば、登録情報を登録済みの鍵装置２を紛失し、登録情報を登録済みの他の鍵装置２がない場合であっても、紛失した鍵装置２の登録情報のみを第１記憶部１３から削除することができる。これにより、紛失した鍵装置２を取得した第三者が、電気錠３を不正に施解錠することが抑制され、セキュリティ性が向上する。
【００７６】
また、第２記憶部１４に記憶される許可コードは、１つに限らず、複数の許可コードが記憶されていてもよい。この場合、登録部１１３は、照合した許可コードに応じて、第１記憶部１３に登録情報を登録する鍵装置２の権限を異ならせる。例えば、登録部１１３は、登録要求信号に含まれる許可コードが、住人用許可コードとの照合に成功した場合、登録要求信号に含まれる登録情報を住人用登録情報として第１記憶部１３に記憶する。また、登録部１１３は、登録要求信号に含まれる許可コードが、ゲスト用許可コードとの照合に成功した場合、登録要求信号に含まれる登録情報をゲスト用登録情報として第１記憶部１３に記憶する。住人用登録情報として登録された鍵装置２は、機能の制限がなく、いつでも電気錠３の施解錠操作が可能であり、また許可コードの変更、登録情報の削除などが可能である。ゲスト用登録情報として登録された鍵装置２は、住人用登録情報として登録された鍵装置２に比べて機能の制限が多く、例えば電気錠３の施解錠操作が可能な時間帯、日にちなどが決められており、また許可コードの変更、登録情報の削除などができない。例えば、訪問日時が予め決められている訪問介護員が所持する鍵装置２は、登録情報をゲスト用登録情報として第１記憶部１３に登録する。これにより、訪問介護員が所持する鍵装置２では、訪問日時以外の時間帯は、電気錠３を施解錠することができず、セキュリティ性が向上する。
【００７７】
上述した例では、電気錠制御システム１は、１つの装置（電気錠制御装置１０）に集約されているが、複数の装置に分散されていてもよい。また、錠側制御部１１が１つの回路で実現されているが、２つ以上の回路で実現されていてもよい。例えば、錠側制御部１１の機能が、２つ以上の回路に分散して設けられていてもよい。さらに、錠側制御部１１は、少なくとも一部の機能が、例えばクラウド（クラウドコンピューティング）によって実現されていてもよい。
【００７８】
また、鍵装置２は、例えばスマートフォンのような携帯端末であるが、他の構成であってもよい。例えば、鍵装置２は、コンピュータを電気錠制御システム１の鍵として動作させるためのプログラム（アプリケーション）を実行可能な端末であれば、タブレット型のコンピュータ等であってもよい。また、鍵装置２は、電気錠制御システム１に用いられる専用の装置でもよい。
【００７９】
上述の実施形態では、鍵装置２は、開閉部材５の解錠操作及び施錠操作の両方を行うことができるが、他の構成であってもよい。例えば、鍵装置２は、開閉部材５の解錠操作と施錠操作との一方だけを行う構成であってもよい。
【００８０】
上述の実施形態では、開閉部材５は、建物４の内側（宅内４１）と外側（宅外４２）とを隔てる扉（開き戸又は引戸）又は窓であるが、建物４の一部の区画の内側と外側とを隔てる扉であってもよい。例えば、建物４が複数の住戸を有する集合住宅、複数の店舗を有するテナントビル、及び複数の事務所を有するオフィスビルであれば、個々の区画（住戸、店舗、事務所）の内側と外側とを隔てる扉が開閉部材５となる。
【００８１】
上述の実施形態では、電気錠システム１００は戸建て住宅に適用されているが、例えば集合住宅の各住戸に適用されてもよい。また、電気錠システム１００は、集合住宅の共用部玄関に適用されてもよいし、事務所、店舗、工場などの非住宅用の建物４に適用されてもよい。
【００８２】
本開示における電気錠制御システム１の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における電気錠制御システム１、又は鍵装置２の登録情報を第１記憶部１３に記憶させる登録方法の実行主体としての機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００８３】
（６）まとめ
第１態様に係る電気錠制御システム（１）は、錠側通信部（１２）と、第１記憶部（１３）と、第２記憶部（１４）と、登録部（１１３）と、を備えている。錠側通信部（１２）は、複数の鍵装置（２）の間で無線通信可能である。第１記憶部（１３）は、複数の鍵装置（２）の各々の登録情報を記憶可能である。第２記憶部（１４）は、許可コードを記憶可能である。登録部（１１３）は、複数の鍵装置（２）の各々の登録情報を第１記憶部（１３）に記憶させる。登録部（１１３）は、錠側通信部（１２）が複数の鍵装置（２）のいずれかから登録情報及び許可コードを含む登録要求信号を受信した場合、第２記憶部（１４）に記憶されている許可コードがデフォルトであれば、所定条件が満たされると、登録要求信号に含まれる登録情報を第１記憶部（１３）に記憶させ、かつ、登録要求信号に含まれる許可コードを設定コードとして、第２記憶部（１４）に記憶されている許可コードをデフォルトから設定コードに変更する。また、登録部（１１３）は、錠側通信部（１２）が複数の鍵装置（２）のいずれかから登録情報及び許可コードを含む登録要求信号を受信した場合、第２記憶部（１４）に記憶されている許可コードが設定コードであれば、登録要求信号に含まれる許可コードが設定コードと一致すると、登録要求信号に含まれる登録情報を第１記憶部（１３）に記憶させる。
【００８４】
この態様によれば、鍵装置（２）の登録情報を第１記憶部（１３）に記憶するためのパスコードとして許可コードが必要となるので、第三者による鍵装置（２）の登録情報の不正登録を抑制することができる。
【００８５】
第２態様に係る電気錠制御システム（１）は、第１態様において、錠側操作部（１５）と、判断部（１１４）と、を更に備えている。錠側操作部（１５）は、ユーザ（６）からの操作を受け付ける。判断部（１１４）は、錠側操作部（１５）が受け付けた操作が登録許可操作であるという前記所定条件が満たされたか否かを判断する。登録部（１１３）は、錠側通信部（１２）が登録要求信号を受信した場合、第２記憶部（１４）に記憶されている許可コードがデフォルトであり、かつ、所定条件が満たされたと判断部（１１４）が判断すると、登録要求信号に含まれる登録情報を第１記憶部（１３）に記憶させ、かつ、第２記憶部（１４）に記憶されている許可コードを前記デフォルトから設定コードに変更する。
【００８６】
この態様によれば、第２記憶部（１４）に記憶されている許可コードをデフォルトから変更するためのパス操作として登録許可操作を行う必要がある。したがって、第三者が錠側操作部（１５）から離れた位置から鍵装置（２）の登録情報、及び許可コードを不正に登録することが抑制され、セキュリティ性が向上する。
【００８７】
第３態様に係る電気錠制御システム（１）では、第２態様において、登録許可操作は、錠側操作部（１５）に対する複数の操作を組み合わせた操作である。
【００８８】
この態様によれば、第三者に登録許可操作が推測されにくくなり、セキュリティ性が向上する。
【００８９】
第４態様に係る電気錠制御システム（１）では、第２又は第３態様において、登録許可操作は、錠側操作部（１５）に対して所定の操作手順で行われる操作である。所定の操作手順は、複数の手順候補から選択される。
【００９０】
この態様によれば、第三者に登録許可操作が推測されにくくなり、セキュリティ性が向上する。
【００９１】
第５態様に係る電気錠制御システム（１）では、第４態様において、所定の操作手順は、登録要求信号に含まれる許可コードに応じて複数の手順候補から選択される。
【００９２】
この態様によれば、第三者に登録許可操作が推測されにくくなり、セキュリティ性が向上する。
【００９３】
第６態様に係る電気錠制御システム（１）では、第２〜第５態様のいずれかにおいて、登録許可操作の操作内容は、登録要求信号を送信した鍵装置（２）の表示部（２４）に表示される。
【００９４】
この態様によれば、ユーザ（６）が登録許可操作の操作内容を把握することができ、登録許可操作の操作ミス、操作忘れを抑制することができる。
【００９５】
第７態様に係る電気錠制御システム（１）では、第１〜第６態様のいずれかにおいて、登録部（１１３）は、錠側通信部（１２）が、複数の鍵装置（２）のうち第１記憶部（１３）に登録情報が記憶された鍵装置（２）から削除要求信号を受信した場合、第１記憶部（１３）に記憶されている登録情報を削除する。
【００９６】
この態様によれば、鍵装置（２）を紛失した場合であっても、紛失した鍵装置（２）を取得した第三者が、電気錠（３）を不正に施解錠することが抑制され、セキュリティ性が向上する。
【００９７】
第８態様に係る電気錠制御システム（１）では、第１〜第７態様のいずれかにおいて、登録部（１１３）は、錠側通信部（１２）が、複数の鍵装置（２）のうち第１記憶部（１３）に登録情報が記憶された鍵装置（２）から許可コードを含む変更要求信号を受信した場合、第２記憶部（１４）に記憶されている許可コードを、変更要求信号に含まれる許可コードに更新する。
【００９８】
この態様によれば、第２記憶部（１４）に記憶されている許可コードを変更することができ、利便性が向上する。
【００９９】
第９態様に係る電気錠システム（１００）は、第１〜第８態様のいずれかの電気錠制御システム（１）と、電気錠（３）と、を備える。電気錠（３）は、電気錠制御システム（１）によって制御され、建物（４）の開口部（４０）を開閉する開閉部材（５）を施錠及び解錠する。
【０１００】
この態様によれば、電気錠制御システム（１）を用いることによって、第三者による鍵装置（２）の登録情報の不正登録を抑制することができる。
【０１０１】
第１０態様に係る登録方法は、複数の鍵装置（２）の各々の登録情報を第１記憶部（１３）に記憶させる登録方法である。登録方法は、錠側通信部（１２）が前記複数の鍵装置（２）のいずれかから登録情報及び許可コードを含む登録要求信号を受信した場合、第２記憶部（１４）に記憶されている許可コードがデフォルトであれば、所定条件が満たされると、登録要求信号に含まれる登録情報を第１記憶部（１３）に記憶させ、かつ、登録要求信号に含まれる許可コードを設定コードとして、第２記憶部（１４）に記憶されている許可コードを前記デフォルトから設定コードに変更する。登録方法は、錠側通信部（１２）が前記複数の鍵装置（２）のいずれかから登録情報及び許可コードを含む登録要求信号を受信した場合、第２記憶部（１４）に記憶されている許可コードが設定コードであれば、登録要求信号に含まれる許可コードが設定コードと一致すると、登録要求信号に含まれる登録情報を第１記憶部（１３）に記憶させる。
【０１０２】
この態様によれば、専用の電気錠制御システム（１）を用いなくても、第三者による鍵装置（２）の登録情報の不正登録を抑制することができる。
【０１０３】
第１１態様に係るプログラムは、コンピュータシステムに、第１０態様の登録方法を実行させる。
【０１０４】
この態様によれば、専用の電気錠制御システム（１）を用いなくても、第三者による鍵装置（２）の登録情報の不正登録を抑制することができる。
【０１０５】
第２〜第８の態様に係る構成については、電気錠制御システム（１）の必須の構成ではなく、適宜省略可能である。
【符号の説明】
【０１０６】
１  電気錠制御システム
１００  電気錠システム
１１３  登録部
１２  錠側通信部
１３  第１記憶部
１４  第２記憶部
２  鍵装置
２４  表示部
３  電気錠
４  建物
４０  開口部
５  開閉部材
【図１】
2019027089.tif 000003
【図２】
2019027089.tif 000004
【図３】
2019027089.tif 000005